(57)【特許請求の範囲】
【請求項１】
画像データを記憶する記憶部と、
画像データである登録画像データを含み、前記登録画像データの記憶を指示する登録指示コマンドを受信し、受信した前記登録指示コマンドに基づいて、前記登録画像データを拡大または縮小して前記記憶部に記憶する制御部と、
前記記憶部に記録された拡大または縮小された前記登録画像データの画像を記録媒体に印刷する印刷部と、
を備え、
前記制御部は、
前記印刷部の印刷領域の幅と、前記登録画像データの幅とを比較し、前記登録画像データの幅が、前記印刷部の印刷領域の幅を超える場合、前記印刷領域の幅以下の幅となるよう、前記登録画像データを縮小し、
前記登録画像データを縮小するときの横方向の縮小率と縦方向の縮小率とを同等とする
ことを特徴とする印刷装置。
【請求項２】
画像データを記憶する記憶部と、
画像データである登録画像データを含み、前記登録画像データの記憶を指示する登録指示コマンドを受信し、受信した前記登録指示コマンドに基づいて、前記登録画像データを拡大または縮小して前記記憶部に記憶する制御部と、
前記記憶部に記録された拡大または縮小された前記登録画像データの画像を記録媒体に印刷する印刷部と、
を備え、
前記制御部は、
事前に設定された拡大率又は縮小率で前記登録画像データを拡大又は縮小する
ことを特徴とする印刷装置。
【請求項３】
画像データを記憶する記憶部と、
画像データである登録画像データを含み、前記登録画像データの記憶を指示する登録指示コマンドを受信し、受信した前記登録指示コマンドに基づいて、前記登録画像データを拡大または縮小して前記記憶部に記憶する制御部と、
前記記憶部に記録された拡大または縮小された前記登録画像データの画像を記録媒体に印刷する印刷部と、
を備え、
前記登録指示コマンドは、前記登録画像データを識別する識別情報を含み、
前記制御部は、
拡大又は縮小した前記登録画像データと、前記登録指示コマンドに含まれる前記識別情報とを対応付けて前記記憶部に記憶し、
前記識別情報を含み、前記識別情報に対応する前記登録画像データに基づく画像の印刷を指示する印刷指示コマンドを受信した場合、受信した前記印刷指示コマンドに基づいて、前記記憶部で前記印刷指示コマンドに含まれる前記識別情報と対応付けて記憶された拡大又は縮小した前記登録画像データに基づいて前記印刷部を制御して画像を印刷する
ことを特徴とする印刷装置。
【請求項４】
前記制御部は、
前記登録画像データに、バーコードの画像データであるバーコード画像データが含まれる場合、前記登録画像データの縮小を行わないことを特徴とする請求項１乃至３のいずれか１項に記載の印刷装置。
【請求項５】
記憶部に保存された画像データの画像を記録媒体に印刷する印刷装置の制御方法であって、
画像データである登録画像データを含み、前記登録画像データの記憶を指示する登録指示コマンドを受信し、
受信した前記登録指示コマンドに基づいて、前記登録画像データを拡大又は縮小して前記記憶部に記憶し、
前記記憶部に記録された拡大または縮小された前記登録画像データの画像を前記記録媒体に印刷し、
印刷領域の幅と、前記登録画像データの幅とを比較し、前記登録画像データの幅が、前記印刷領域の幅を超える場合、前記印刷領域の幅以下の幅となるよう、前記登録画像データを縮小し、
前記登録画像データを縮小するときの横方向の縮小率と縦方向の縮小率とを同等とする
ことを特徴とする印刷装置の制御方法。
【請求項６】
記憶部に保存された画像データの画像を記録媒体に印刷する印刷装置の制御方法であって、
画像データである登録画像データを含み、前記登録画像データの記憶を指示する登録指示コマンドを受信し、
受信した前記登録指示コマンドに基づいて、前記登録画像データを拡大又は縮小して前記記憶部に記憶し、
前記記憶部に記録された拡大または縮小された前記登録画像データの画像を前記記録媒体に印刷し、
事前に設定された拡大率又は縮小率で前記登録画像データを拡大又は縮小する
ことを特徴とする印刷装置の制御方法。
【請求項７】
記憶部に保存された画像データの画像を記録媒体に印刷する印刷装置の制御方法であって、
画像データである登録画像データを含み、前記登録画像データの記憶を指示する登録指示コマンドを受信し、
受信した前記登録指示コマンドに基づいて、前記登録画像データを拡大又は縮小して前記記憶部に記憶し、
前記記憶部に記録された拡大または縮小された前記登録画像データの画像を前記記録媒体に印刷し、
前記登録指示コマンドは、前記登録画像データを識別する識別情報を含み、
拡大又は縮小した前記登録画像データと、前記登録指示コマンドに含まれる前記識別情報とを対応付けて前記記憶部に記憶し、
前記識別情報を含み、前記識別情報に対応する前記登録画像データに基づく画像の印刷を指示する印刷指示コマンドを受信した場合、受信した前記印刷指示コマンドに基づいて、前記記憶部で前記印刷指示コマンドに含まれる前記識別情報と対応付けて記憶された拡大又は縮小した前記登録画像データに基づいて画像を印刷する
ことを特徴とする印刷装置の制御方法。
【発明の詳細な説明】
【技術分野】
【０００１】
本発明は、印刷装置、及び、印刷装置の制御方法に関する。
【背景技術】
【０００２】
従来、印刷データに基づく画像の印刷に際し、印刷データを加工し、画像が印刷される
範囲を調整する印刷装置（プリンタ）が知られている（例えば、特許文献１参照）。
【先行技術文献】
【特許文献】
【０００３】
【特許文献１】特開２０１０−０００６２３号公報
【発明の概要】
【発明が解決しようとする課題】
【０００４】
ところで、印刷装置では、外部装置からの要求に応じて事前に画像データを記憶し、記
憶した画像データに基づいて印刷を実行するものがある。ここで、印刷装置が、外部装置
から記憶することを要求された画像データを加工せずに記憶した後、記憶した画像データ
に基づいて画像を印刷した場合、印刷される画像が、印刷領域の幅との関係で適切でない
状態で印刷される場合があった。
本発明は、上述した事情に鑑みてなされたものであり、事前に記憶した画像データに基
づいて印刷する印刷装置について、事前に記憶した画像データに基づいて印刷される画像
を、印刷領域の幅に対応させることを目的とする。
【課題を解決するための手段】
【０００５】
上記目的を達成するために、本発明の印刷装置は、画像データを記憶する記憶部と、画
像データである登録画像データを含み、前記登録画像データの記憶を指示する登録指示コ
マンドを受信し、受信した前記登録指示コマンドに基づいて、前記登録画像データを拡大
または縮小して前記記憶部に記憶する制御部と、前記記憶部に記録された拡大または縮小
された前記登録画像データの画像を記録媒体に印刷する印刷部と、を備えることを特徴と
する。
本発明の構成によれば、事前に記憶した画像データに基づいて印刷される画像を、印刷
領域の幅に対応させることができる。
【０００６】
また、本発明の印刷装置は、前記制御部は、前記印刷部の印刷領域の幅と、前記登録画
像データの幅とを比較し、前記登録画像データの幅が、前記印刷部の印刷領域の幅を超え
る場合、前記印刷領域の幅以下の幅となるよう、前記登録画像データを縮小することを特
徴とする。
本発明の構成によれば、登録画像データに基づいて画像を印刷したときに、画像の一部
が欠損することを防止できる。
【０００７】
また、本発明の印刷装置は、前記制御部は、前記登録画像データを縮小するときの横方
向の縮小率と縦方向の縮小率とを同等とすることを特徴とする。
本発明の構成によれば、縮小しない登録画像データに基づく画像と、縮小後の登録画像
データに基づく画像との縦横比を同等とすることができる。
【０００８】
また、本発明の印刷装置は、前記制御部は、前記登録画像データに、バーコードの画像
データであるバーコード画像データが含まれる場合、前記登録画像データの縮小を行わな
いことを特徴とする。
本発明の構成によれば、読み取り精度の低いバーコードが印刷されることを防止できる
。
【０００９】
また、本発明の印刷装置は、前記制御部は、事前に設定された拡大率又は縮小率で前記
登録画像データを拡大又は縮小することを特徴とする。
本発明の構成によれば、印刷装置は、ユーザーの要求に応じて、印刷領域の幅に対応し
た幅となるよう拡大又は縮小した登録画像データを登録できる。
【００１０】
また、本発明の印刷装置は、前記登録指示コマンドは、前記登録画像データを識別する
識別情報を含み、前記制御部は、拡大又は縮小した前記登録画像データと、前記登録指示
コマンドに含まれる前記識別情報とを対応付けて前記記憶部に記憶し、前記識別情報を含
み、前記識別情報に対応する前記登録画像データに基づく画像の印刷を指示する印刷指示
コマンドを受信した場合、受信した前記印刷指示コマンドに基づいて、前記記憶部で前記
印刷指示コマンドに含まれる前記識別情報と対応付けて記憶された拡大又は縮小した前記
登録画像データに基づいて前記印刷部を制御して画像を印刷することを特徴とする。
本発明の構成によれば、印刷装置は、拡大又は縮小した登録画像データに基づいて、印
刷領域の幅に対応した幅を有する画像を印刷できる。
【００１１】
また、上記目的を達成するために、本発明の印刷装置の制御方法は、記憶部に保存され
た画像データの画像を記録媒体に印刷する印刷装置の制御方法であって、画像データであ
る登録画像データを含み、前記登録画像データの記憶を指示する登録指示コマンドを受信
し、受信した前記登録指示コマンドに基づいて、前記登録画像データを拡大又は縮小して
記憶し、前記記憶部に記録された拡大または縮小された前記登録画像データの画像を前記
記録媒体に印刷することを特徴とする。
本発明の構成によれば、事前に記憶した画像データに基づいて印刷される画像を、印刷
領域の幅に対応させることができる。
【図面の簡単な説明】
【００１２】
【図１】第１実施形態に係る印刷装置を示す図。
【図２】レシートのレイアウトを示す図。
【図３】制御装置、及び、印刷装置の動作を示すフローチャート。
【図４】登録画像データテーブルを示す図。
【図５】印刷装置の要部の構成を示す図。
【図６】制御装置、及び、印刷装置の動作を示すフローチャート。
【図７】一時バッファー、及び、保存バッファーを示す図。
【図８】第２実施形態に係る制御装置、印刷装置の動作を示すフローチャート。
【発明を実施するための形態】
【００１３】
以下、図面を参照して本発明の実施形態について説明する。
【００１４】
＜第１実施形態＞
図１は、第１実施形態に係る印刷システム１の機能的構成を示すブロック図である。
図１に示すように、印刷システム１は、印刷装置１０と、制御装置１１とを備える。
印刷装置１０は、収納したロール紙に、ライン型のサーマルヘッドによってドットを形
成して画像を印刷するラインサーマルプリンターである。印刷装置１０は、ロール紙を切
断する機能を有し、ロール紙に画像を印刷して、ロール紙を切断し、画像が印刷された紙
片を発行できる。また、印刷装置１０は、持ち運び可能な程度に小型なモバイルプリンタ
ーである。
制御装置１１は、前面にタッチパネル３１が設けられたタブレット型（板状）のコンピ
ューターである。制御装置１１は、Bluetooth（登録商標）に従って印刷装置１０と無線
通信し、印刷装置１０を制御する。
【００１５】
本実施形態に係る印刷システム１は、以下の態様で使用される。
すなわち、印刷装置１０、及び、制御装置１１は、列車における車内販売や、スポーツ
観戦の場の販売で、飲食物、その他の商品の販売を担当する者（以下、「販売担当者」と
いう。）に事前に付与される。
商品の販売に際し、販売担当者は、制御装置１１を、印刷装置１０とBluetoothに従っ
て無線接続すると共に、制御装置１１に事前にインストールされた専用のアプリケーショ
ン（以下、「専用アプリＡＰ」と表現する。）を起動する。
専用アプリＡＰは、商品の販売に伴う会計に関する所定のユーザーインターフェースを
提供する。
商品の販売に際し、販売担当者は、専用アプリＡＰが提供するユーザーインターフェー
スに、会計に対応する入力を行い、また、ユーザーインターフェースに表示された会計に
関する情報を参照する。
制御装置１１は、商品の販売に伴う会計に応じて、専用アプリＡＰの機能により、印刷
装置１０を制御して、レシートを発行させる。印刷装置１０により発行されたレシートは
、顧客に引き渡される。
【００１６】
図１に示すように、印刷装置１０は、印刷部２１と、記憶部２２と、無線通信部２３と
、入力部２４と、センサーユニット２５と、ＬＥＤユニット２６と、を備える。
【００１７】
制御部２０は、ＣＰＵや、ＲＯＭ、ＲＡＭ、その他周辺回路等を備え、印刷装置１０を
制御する。制御部２０は、インストールされたファームウェア、その他制御プログラムを
読み出して実行することにより、印刷装置１０を制御する。
【００１８】
印刷部２１は、印刷装置１０の筐体に収容されたロール紙を搬送する搬送機構や、サー
マルヘッドによってロール紙にドットを形成して画像を印刷する印刷機構、ロール紙を所
定の位置で切断する切断機構等を備える。印刷部２１は、制御部２０の制御で、搬送機構
によりロール紙を搬送しつつ、印刷機構によりロール紙に画像を印刷し、切断機構により
所定の位置でロール紙を切断して、レシートを発行する。
【００１９】
記憶部２２は、不揮発性メモリーを備え、各種データを記憶する。記憶部２２が記憶す
るデータについては後述する。
【００２０】
無線通信部２３は、リンクマネージャーや、リンクコントローラー、高周波回路、アン
テナ等を含む無線通信モジュールを備え、制御部２０の制御で、制御装置１１と通信リン
クを確立してBluetoothに従って無線通信する。
【００２１】
入力部２４は、電源をオン／オフする電源スイッチ２４１、ロール紙の搬送を指示する
フィードスイッチ２４２、その他の操作スイッチを備える。入力部２４は、操作スイッチ
に対する操作を検出し、制御部２０に出力する。制御部２０は、入力部２４からの入力に
基づいて、操作スイッチに対する操作に対応する処理を実行する。
【００２２】
センサーユニット２５は、複数のセンサーと、各センサーの検出値をＡ／Ｄ変換するコ
ンバーター等を備え、各センサーの検出値を制御部２０に出力する。
センサーは、印刷装置１０に設けられた図示しないカバーの開閉状態を検出するセンサ
ーや、ロール紙の位置を検出する位置検出センサー、ロール紙の搬送に関するエラー、印
刷機構に関するエラー、その他エラーを検出するセンサー、切断機構が有するカッターの
位置を検出するセンサー等、印刷機構が有するサーマルヘッドの温度を検出するセンサー
、ロール紙の紙切れを検出するセンサー等を含む。
制御部２０は、センサーユニット２５からの入力に基づいて、印刷装置１０の状態を検
出する。
【００２３】
ＬＥＤユニット２６は、１又は複数のＬＥＤを備え、制御部２０の制御で、ＬＥＤを所
定の態様で点灯／消灯する。
【００２４】
図１に示すように、制御装置１１は、制御装置制御部３０と、タッチパネル３１と、制
御装置記憶部３２と、制御装置無線通信部３３と、を備える。
【００２５】
制御装置制御部３０は、ＣＰＵや、ＲＯＭ、ＲＡＭ、その他周辺回路等を備え、制御装
置１１を制御する。
【００２６】
タッチパネル３１は、液晶表示パネル等の表示パネルと、表示パネルに重ねて設けられ
たタッチセンサーとを備える。表示パネルは、制御装置制御部３０の制御で、各種画像を
表示する。タッチセンサーは、タッチ操作を検出し、制御装置制御部３０に出力する。制
御装置制御部３０は、タッチパネル３１からの入力に基づいて、タッチ操作に対応する処
理を実行する。
【００２７】
制御装置記憶部３２は、不揮発性メモリーを備え、各種データを記憶する。
【００２８】
制御装置無線通信部３３は、無線通信モジュールを備え、制御装置制御部３０の制御で
、印刷装置１０と通信リンクを確立してBluetoothに従って無線通信する。
【００２９】
次に、レシートを発行するときの制御装置１１、及び、印刷装置１０の動作について説
明する。
【００３０】
図２（Ａ）は、本実施形態に係る印刷装置１０が発行するレシートのレイアウトを示す
図である。
図２（Ａ）に示すように、印刷装置１０が発行するレシートは、先頭に、トップロゴＴ
Ｌが印刷され、トップロゴＴＬに続いて会計情報ＭＪが印刷される。
トップロゴＴＬは、レシートの先頭に定型的に印刷される画像であり、例えば、車内販
売等のサービスを提供するサービス提供者の名称を図案化した画像や、当該サービス提供
者を示すマーク、当該サービス提供者の連絡先等を含む。
会計情報ＭＪは、顧客が購入した商品の名称や、単価、数量、合計購入金額、税に関す
る情報、その他の会計に関する情報を含む。
【００３１】
図３は、レシートを発行するときの印刷装置１０、及び、制御装置１１の動作を示すフ
ローチャートである。
なお、図３のフローチャートの開始時点では、印刷装置１０と、制御装置１１との間で
ペアリングが行われており、これら装置が無線接続された状態（通信リンクが確立した状
態）である。また、制御装置１１の専用アプリＡＰが起動されており、専用アプリＡＰが
提供するユーザーインターフェースが、タッチパネル３１に表示された状態である。
また、以下の説明において、制御装置制御部３０の処理は、専用アプリＡＰ、専用アプ
リＡＰにより呼び出し可能なＡＰＩ（Application Programming Interface）、及び、制
御装置１１のＯＳを含む制御プログラムの機能に基づいて実行される。
【００３２】
会計に応じて、販売担当者は、制御装置１１のユーザーインターフェースに会計に対応
する情報を入力する。
図３（Ａ）に示すように、制御装置１１の制御装置制御部３０は、ユーザーインターフ
ェースに対して会計に対応する入力が行われた後、レシートの発行を指示するタッチボタ
ンが操作されたことを検出すると、レシートの発行を指示する印刷データを生成する（ス
テップＳＡ１）。印刷データは、印刷装置１０のコマンド体系に従った制御コマンドを含
んで構成された制御データである。
【００３３】
図２（Ｂ）は、図２（Ａ）が示すレイアウトのレシートを発行するときに、制御装置制
御部３０が生成する印刷データを示す図である。
図２（Ｂ）に示すように、印刷データは、トップロゴ印刷指示コマンドＴＣ（印刷指示
コマンド）と、会計情報印刷指示コマンドＫＣと、カットコマンドＣＣとを含む。
【００３４】
トップロゴ印刷指示コマンドＴＣは、トップロゴＴＬの印刷を指示する制御コマンドで
ある。
後に明らかとなる通り、印刷装置１０は、事前に記憶したトップロゴＴＬの登録画像デ
ータに基づいて、トップロゴＴＬを印刷する。登録画像データは、ビットマップデータ等
の画像バッファーに展開可能な画像データである。
そして、トップロゴ印刷指示コマンドＴＣは、印刷装置１０に事前に記憶された登録画
像データに基づく画像の印刷を指示する命令コードである登録画像印刷指示用命令コード
と、登録画像データを識別する識別情報である登録画像データ識別情報と、を含む。
【００３５】
カットコマンドＣＣは、ロール紙の切断を指示する制御コマンドである。
【００３６】
会計情報印刷指示コマンドＫＣは、会計情報ＭＪの印刷を指示する制御コマンド群であ
る。会計情報ＭＪは、会計に関する情報を示す文字列を、複数行、有する。会計情報印刷
指示コマンドＫＣは、会計情報ＭＪにおける行ごとに、文字列の印刷を指示する文字列印
刷指示コマンドを有する。文字列印刷指示コマンドは、文字列の印刷を指示する命令コー
ドと、各行に印刷する文字列と、印刷時に文字列に施す装飾（太字化、強調点の付加、ア
ンダーラインの付加等）とを含む。
【００３７】
印刷データを生成した後、制御装置制御部３０は、制御装置無線通信部３３を制御して
、生成した印刷データを、印刷装置１０に送信する（ステップＳＡ２）。
【００３８】
図３（Ｂ）に示すように、印刷装置１０の制御部２０は、無線通信部２３を制御して、
印刷データを受信する（ステップＳＢ１）。受信した印刷データに含まれる制御コマンド
（トップロゴ印刷指示コマンドＴＣ、会計情報印刷指示コマンドＫＣ、カットコマンドＣ
Ｃ）は、順番に受信バッファーに格納され、順番に読み出し対象となる。
【００３９】
次いで、制御部２０は、受信バッファーに格納されたトップロゴ印刷指示コマンドＴＣ
を読み出す（ステップＳＢ２）。
次いで、制御部２０は、トップロゴ印刷指示コマンドＴＣに含まれる登録画像印刷指示
用命令コードに基づいて、以下の処理を実行する。
すなわち、制御部２０は、トップロゴ印刷指示コマンドＴＣに含まれる登録画像データ
識別情報を取得する（ステップＳＢ３）。
次いで、制御部２０は、記憶部２２が記憶する登録画像データテーブル２２１を参照す
る（ステップＳＢ４）。
【００４０】
図４は、登録画像データテーブル２２１を示す図である。
登録画像データテーブル２２１は、印刷装置１０の記憶部２２が記憶する登録画像デー
タごとに１又は複数のレコードを有する。各レコードは、登録画像データ識別情報と、登
録画像データの実データとを対応付けて記憶する。
登録画像データテーブル２２１は、印刷装置１０の記憶部２２が記憶する登録画像デー
タのそれぞれについて、登録画像データの登録画像データ識別情報と、登録画像データの
実データとを対応付けて記憶する。
【００４１】
登録画像データテーブル２２１を参照後、制御部２０は、当該テーブルにおいて、ステ
ップＳＢ３で取得した登録画像データ識別情報と対応付けられた登録画像データを取得す
る（ステップＳＢ５）。
トップロゴ印刷指示コマンドＴＣに含まれる登録画像データ識別情報は、印刷するトッ
プロゴＴＬの登録画像データの登録画像データ識別情報である。従って、ステップＳＢ５
で制御部２０が取得する登録画像データは、トップロゴＴＬの登録画像データである。
次いで、制御部２０は、ステップＳＢ５で取得した登録画像データを画像バッファーに
展開する（ステップＳＢ６）。
次いで、制御部２０は、画像バッファーに展開した登録画像データに基づいて、印刷部
２１を制御して、トップロゴＴＬをロール紙に印刷する（ステップＳＢ７）。
【００４２】
次いで、制御部２０は、受信バッファーに格納された会計情報印刷指示コマンドＫＣを
読み出す（ステップＳＢ８）。
次いで、制御部２０は、ステップＳＢ８で読み出した会計情報印刷指示コマンドＫＣに
基づいて、印刷部２１を制御して、会計情報ＭＪをロール紙に印刷する（ステップＳＢ９
）。
次いで、制御部２０は、受信バッファーに格納されたカットコマンドＣＣを読み出す（
ステップＳＢ１０）。
次いで、制御部２０は、ステップＳＢ１０で読み出したカットコマンドＣＣに基づいて
、印刷部２１を制御して、ロール紙を所定の位置で切断する（ステップＳＢ１１）。
ロール紙の切断に伴って、トップロゴＴＬ、及び、会計情報ＭＪが印刷された紙片がロ
ール紙から切り離され、レシートが発行される。
【００４３】
ところで、本実施形態に係る制御装置１１の専用アプリＡＰ、及び、専用アプリＡＰが
呼び出すＡＰＩ（以下、「専用アプリ等」という。）は、制御装置１１とコマンド体系が
同じ据え置き型のプリンター（以下、「据え置き型プリンター」という。）の制御用に開
発されたものである。そして、本実施形態に係る印刷システム１では、据え置き型プリン
ターの制御に使用されていた制御装置１１を、モバイルプリンターである印刷装置１０の
制御に使用する。
据え置き型プリンターは、８０ｍｍ幅のロール紙が収納され、８０ｍｍ幅のロール紙に
画像を印刷するプリンターである。据え置き型プリンターの印刷領域の幅は、５７６ドッ
トである。
印刷領域の幅とは、据え置き型プリンター、又は、印刷装置１０がドットを形成可能な
（印刷可能な）領域の横方向の最大幅である。本実施形態に係る印刷装置１０のように、
ラインサーマルプリンターでは、基本的に、サーマルヘッドに設けられた発熱素子の数が
、印刷領域の幅となる。
一方、印刷装置１０は、５８ｍｍ幅のロール紙が収納され、５８ｍｍ幅のロール紙に画
像を印刷するプリンターである。印刷装置１０の印刷領域の幅は、４１８ドットである。
【００４４】
据え置き型プリンターは、上述した登録画像データテーブル２２１と同様に、登録画像
データ識別情報と、登録画像データとを対応付けて記憶するテーブル（以下、「対応テー
ブル」と表現する。）を記憶する。そして、制御装置１１は、専用アプリ等の機能により
、印刷装置１０の対応テーブルに、１の登録画像データの登録画像データ識別情報と、当
該１の登録画像データの実データとを対応付けたレコードを生成させることができる。以
下の説明では、適宜、登録画像データテーブル２２１、又は、対応テーブルに１件にレコ
ードを生成することを、「登録画像データテーブル２２１、又は、対応テーブルに登録画
像データを登録する」と表現する。
【００４５】
詳述すると、対応テーブルに登録画像データを登録する場合、制御装置１１の制御装置
制御部３０は、登録指示コマンドを生成する。
登録指示コマンドは、登録する登録画像データ、及び、登録する登録画像データの登録
画像データ識別情報を含み、登録画像データの登録を指示する制御コマンドである。
制御装置１１の制御装置制御部３０は、生成した登録指示コマンドを、据え置き型プリ
ンターに送信する。
据え置き型プリンターは、受信した登録指示コマンドに基づいて、対応テーブルに、当
該コマンドに含まれる登録画像データ識別情報と、登録画像データとを対応付けるレコー
ドを生成する。
【００４６】
上述したように、据え置き型プリンターと、印刷装置１０とは、コマンド体系が同じで
あり、印刷装置１０は、据え置き型プリンターが処理可能なコマンドを処理可能である。
従って、制御装置１１は、印刷装置１０に登録指示コマンドを送信して、印刷装置１０の
登録画像データテーブル２２１に登録画像データを登録することができる。
そして、制御装置１１が、据え置き型プリンターに送信していた登録指示コマンドと同
じ登録指示コマンドを印刷装置１０に送信して、登録画像データテーブル２２１に登録画
像データを登録する場合、以下の問題があった。
すなわち、上述したように、据え置き型プリンターの印刷領域の幅は５７６ドットであ
る。従って、制御装置１１は、幅が４１８ドットを上回る（４１９ドット以上の）登録画
像データの登録を指示する登録指示コマンドを送信する場合がある。
そして、印刷装置１０が、印刷装置１０の印刷領域の幅（４１８ドット）を上回る幅の
登録画像データの登録を指示する登録指示コマンドに基づいて、登録画像データを登録画
像データテーブル２２１にそのまま登録した場合、以下の事態が生じる。すなわち、登録
画像データの幅が、印刷装置１０の印刷領域の幅を超えるため、登録画像データに基づい
て画像を印刷したときに、画像の一部が欠けて印刷される事態が生じる。
以上を踏まえ、登録画像データの登録に関し、印刷装置１０は、以下の構成を有し、以
下の処理を実行する。
【００４７】
図５は、印刷装置１０の要部の構成を示すブロック図である。
図５に示すように、印刷装置１０は、上述した記憶部２２、及び、無線通信部２３に加
えて、登録処理部２０１と、ＤＭＡコントローラー４０と、受信バッファー４１と、ＲＡ
Ｍ４２と、を備え、これらがバスＢＵＳを介して接続される。
登録処理部２０１は、制御部２０のＣＰＵが、対応する制御プログラムを読み出して実
行することにより処理を実行する機能ブロックである。
受信バッファー４１は、無線通信部２３が受信したデータが、格納される。
ＲＡＭ４２の記憶領域には、後述する一時バッファーＴＢ、及び、保存バッファーＳＢ
が形成される。
ＤＭＡコントローラー４０は、登録処理部２０１の制御で、一時バッファーＴＢ、又は
、保存バッファーＳＢから、記憶部２２へのデータのＤＭＡ転送を実行する。
【００４８】
図６は、登録画像データの登録に関する制御装置１１、及び、印刷装置１０の動作を示
すフローチャートである。
【００４９】
図６（Ａ）に示すように、制御装置１１の制御装置制御部３０は、登録画像データ、及
び、登録画像データ識別情報を含む登録指示コマンドを生成する（ステップＳＣ１）。こ
こで、登録画像データの登録に関し、制御装置制御部３０は、所定のユーザーインターフ
ェースを提供する。当該所定のユーザーインターフェースは、ユーザーが登録しようとす
る登録画像データの制御装置１１における格納場所を示す情報、及び、登録画像データ識
別情報を入力する欄が設けられる。ユーザーは、当該所定のユーザーインターフェースの
対応する欄に、登録画像データの格納場所を示す情報、及び、登録画像データ識別情報を
入力し、確定する。制御装置制御部３０は、当該所定のユーザーインターフェースに入力
された情報に基づいて、登録画像データ、及び、登録画像データ識別情報を取得し、登録
指示コマンドを生成する。
【００５０】
登録指示コマンドを生成した後、制御装置制御部３０は、制御装置無線通信部３３を制
御して、生成した登録指示コマンドを印刷装置１０に送信する（ステップＳＣ２）。
【００５１】
図６（Ｂ）に示すように、印刷装置１０の制御部２０の登録処理部２０１は、無線通信
部２３を制御して、登録指示コマンドを受信する（ステップＳＤ１）。登録指示コマンド
は、受信バッファー４１に格納される。
次いで、登録処理部２０１は、受信バッファー４１に格納された登録指示コマンドを読
み出し、当該コマンドに含まれる登録画像データ、及び、登録画像データ識別情報を取得
する（ステップＳＤ２）。
次いで、登録処理部２０１は、ＲＡＭ４２の記憶領域に、ステップＳＤ２で取得した登
録画像データのサイズに対応するサイズの一時バッファーＴＢを形成し、一時バッファー
ＴＢに、ステップＳＤ２で取得した登録画像データを展開する（ステップＳＤ３）。
【００５２】
図７（Ａ）は、一時バッファーＴＢに展開された登録画像データを、説明に適した態様
で、模式的に示す図である。
図７（Ａ）に示すように、一時バッファーＴＢに展開された登録画像データは、横Ｘド
ット、縦Ｙドットの画像データである。
【００５３】
次いで、登録処理部２０１は、自動調整設定が有効か否かを判別する（ステップＳＤ４
）。後に明らかとなる通り、自動調整設定が有効の場合であって、所定の条件が成立する
場合、登録処理部２０１は、登録画像データを登録する際に、後述する方法で縮小して登
録する。自動調整設定の有効／無効は、ユーザーが所定の方法で事前に設定できる。記憶
部２２が記憶する図示しない設定ファイルには、自動調整設定の有効／無効を示す設定情
報が記録されており、ステップＳＤ４において、登録処理部２０１は、設定ファイルの設
定情報に基づいて、自動調整設定が有効か否かを判別する。
【００５４】
自動調整設定が有効ではない場合（ステップＳＤ４：ＮＯ）、登録処理部２０１は、通
常の処理により、登録画像データの記憶部２２への記憶、及び、登録画像データテーブル
２２１への登録を行う（ステップＳＤ５）。詳述すると、登録処理部２０１は、ＤＭＡコ
ントローラー４０を制御して、ＲＡＭ４２の一時バッファーＴＢに展開された登録画像デ
ータを記憶部２２にＤＭＡ転送し、登録画像データを記憶部２２に記憶する。次いで、登
録処理部２０１は、登録画像データテーブル２２１に、ステップＳＤ２で取得した登録画
像データ識別情報と、記憶部２２に記憶した登録画像データとを対応付けたレコードを生
成する。
【００５５】
自動調整設定が有効の場合（ステップＳＤ４：ＹＥＳ）、登録処理部２０１は、一時バ
ッファーＴＢに展開した登録画像データを分析し、登録画像データに、バーコードの画像
データであるバーコード画像データが含まれているか否かを判別する（ステップＳＤ６）
。
登録画像データにバーコード画像データが含まれる場合、登録画像データに基づいて印
刷される画像にバーコードが含まれる。
ステップＳＤ６の判別は、パターンマッチング等を用いた既存の画像処理により行われ
る。
登録画像データにバーコード画像データが含まれる場合（ステップＳＤ６：ＹＥＳ）、
登録処理部２０１は、処理手順をステップＳＤ５へ移行し、通常の処理によって、登録画
像データを登録画像データテーブル２２１に登録する。
【００５６】
このように、本実施形態では、登録画像データにバーコード画像データが含まれる場合
、登録処理部２０１は、登録画像データを縮小することなく登録する。これは、以下の理
由による。
すなわち、バーコードは、後に光学的に読み取られる画像である。従って、バーコード
を読み取ったときの読み取り精度が低下することを防止する必要がある。これを踏まえ、
登録画像データにバーコード画像データが含まれる場合は、登録画像データの縮小を行わ
ず、これにより、バーコードが縮小して印刷されることによるバーコードの読み取り精度
の低下を防止する。
なお、登録画像データにバーコード画像データが含まれる場合は、登録画像データの登
録を行わず、所定の手段によりユーザーにその旨報知する構成であってもよい。
【００５７】
一方、登録画像データにバーコード画像データが含まれない場合（ステップＳＤ６：Ｎ
Ｏ）、登録処理部２０１は、登録画像データの幅（Ｘドット）の方が、印刷装置１０の印
刷領域の幅（４１８ドット）よりも大きいか否かを判別する（ステップＳＤ７）。
【００５８】
登録画像データの幅が、印刷装置１０の印刷領域の幅よりも大きくない場合（＝登録画
像データの幅が、印刷装置１０の印刷領域の幅「以下」である場合）（ステップＳＤ７：
ＮＯ）、登録処理部２０１は、処理手順をステップＳＤ５へ移行し、通常の処理によって
、登録画像データを登録画像データテーブル２２１に登録する。
このように、登録画像データの幅が、印刷装置１０の印刷領域の幅よりも大きくない場
合、登録画像データは、縮小されることなく、登録画像データテーブル２２１に登録され
る。これは、縮小しない登録画像データに基づいて画像を印刷した場合であっても、画像
の欠損が生じないからである。
【００５９】
一方、登録画像データの幅が、印刷装置１０の印刷領域の幅よりも大きい場合（ステッ
プＳＤ７：ＹＥＳ）、登録処理部２０１は、登録画像データを縮小した場合の、縮小後の
登録画像データの縦のドット数、及び、横のドット数を算出する（ステップＳＤ８）。
以下の説明では、適宜、登録画像データを縮小した画像データを、「調整画像データ」
と表現する。
ステップＳＤ８の処理について詳述すると、後述するように、登録処理部２０１は、登
録画像データの登録に際し、画像の欠損がでないように、登録画像データを縮小して登録
する。具体的には、登録処理部２０１は、登録画像データの横方向のドット数が、印刷領
域の幅（４１８ドット）となるように、登録画像データの横方向の大きさを縮小する。こ
れにより、縮小後の登録画像データ（調整画像データ）の幅が、印刷領域の幅と同じとな
り、画像の欠損が生じない。さらに、登録処理部２０１は、横方向の縮小率（４１８／Ｘ
）と同等の縮小率で、登録画像データの縦方向の大きさを縮小する。なお、登録画像デー
タの縦方向の大きさについて、横方向の縮小率で縮小したときのドット数の値が整数とな
らない場合は、所定の方法により調整されて、整数とされる。
ステップＳＤ８では、登録処理部２０１は、縮小後の登録画像データ（調整画像データ
）の横方向のドット数として４１８ドットを算出する。また、登録処理部２０１は、縮小
後の登録画像データ（調整画像データ）の縦方向のドット数として、式Ｓ１「Ｙ×（４１
８／Ｘ）」により算出される値のドット数を算出する。式Ｓ１において、「Ｙ」は、登録
画像データの縦方向の長さであり、「４１８／Ｘ」は、縮小率である。上述したように、
「Ｙ×（４１８／Ｘ）」によって算出される値が、整数とならない場合、所定の方法によ
り調整されて、整数とされる。
【００６０】
このように、本実施形態では、登録画像データを縮小するときの横方向の縮小率と、縦
方向の縮小率とが同等とされる。これは、以下の理由による。
すなわち、登録画像データを縮小するときの横方向の縮小率と、縦方向の縮小率とを同
等とすることにより、縮小前の登録画像データの縦横比と、縮小後の登録画像データの縦
横比とを同等とすることができる。これにより、縮小前の登録画像データに基づいて印刷
される画像と、縮小後の登録画像データに基づいて印刷される画像との縦横比とが同等と
なり、これら画像の見た目を同様とすることができる。
【００６１】
次いで、登録処理部２０１は、ステップＳＤ８で算出した調整画像データの縦のドット
数、及び、横のドット数に対応したサイズの保存バッファーＳＢを、ＲＡＭ４２の記憶領
域に形成する（ステップＳＤ９）。
次いで、登録処理部２０１は、登録画像データを縮小して調整画像データを生成すると
きの、アルゴリズムを特定する（ステップＳＤ１０）。ここで、登録画像データを縮小す
るときのアルゴリズムが複数用意されており、ユーザーは、所定の方法で、事前に、アル
ゴリズムを選択可能である。記憶部２２が記憶する図示しない設定ファイルには、ユーザ
ーにより選択されたアルゴリズムを示す情報が記録されており、ステップＳＤ１０におい
て、登録処理部２０１は、設定ファイルの情報に基づいて、アルゴリズムを特定する。
【００６２】
次いで、登録処理部２０１は、ステップＳＤ１０で特定したアルゴリズムに従って、登
録画像データを縮小して、調整画像データを生成する（ステップＳＤ１１）。上述したよ
うに、登録画像データの横方向は、印刷領域の幅（４１８ドット）となるように縮小され
、縦方向は、横方向の縮小率と同等の縮小率で縮小される。
【００６３】
次いで、登録処理部２０１は、生成した調整画像データを、ステップＳＤ９で形成した
保存バッファーＳＢに展開する（ステップＳＤ１２）。
図７（Ｂ）は、保存バッファーＳＢに展開した調整画像データを模式的に示す図である
。図７（Ａ）と、図７（Ｂ）との比較で明らかなとおり、保存バッファーＳＢに展開され
る調整画像データは、登録指示コマンドに含まれる登録画像データを縮小した画像データ
である。
次いで、登録処理部２０１は、ＤＭＡコントローラー４０を制御して、保存バッファー
ＳＢに展開された調整画像データを、記憶部２２にＤＭＡ転送して、記憶部２２に記憶す
る（ステップＳＤ１３）。
次いで、登録処理部２０１は、登録画像データテーブル２２１に、ステップＳＢ２で取
得した登録画像データ識別情報と、ステップＳＤ１３で記憶部２２記憶した調整画像デー
タとを対応付けたレコードを生成する（ステップＳＤ１４）。
【００６４】
このように、本実施形態では、登録画像データの幅の方が、印刷装置１０の印刷領域の
幅よりも大きい場合、登録処理部２０１は、登録画像データの幅が、印刷装置１０の印刷
領域の幅と同じとなるように、登録画像データを縮小して登録する。
これにより、縮小した登録画像データに基づいて画像を印刷したときに、画像の欠損が
生じることを防止できる。
【００６５】
なお、一時バッファーＴＢ、及び、保存バッファーＳＢの態様、及び、画像データの展
開方法について、以下のように行ってもよい。
すなわち、制御部２０は、保存バッファーＳＢについて、ＤＭＡ転送のバイトアライメ
ントに対応したサイズの領域を確保する。次いで、制御部２０は、一時バッファーＴＢに
ついて、保存バッファーＳＢのサイズに対応したサイズを確保する。この場合、一時バッ
ファーＴＢのサイズは、ステップＳＢ２で取得した登録画像データのサイズよりも小さい
場合がある。
一時バッファーＴＢのサイズが、ステップＳＢ２で取得した登録画像データのサイズよ
りも小さい場合、制御部２０は、登録画像データを、分割して一時バッファーＴＢに、格
納する。制御部２０は、一時バッファーＴＢに格納した分割後の登録画像データを縮小し
、縮小した分割後の登録画像データを、保存バッファーＳＢに格納する。制御部２０は、
保存バッファーＳＢに格納された、縮小した分割後の登録画像データを記憶部２２にＤＭ
Ａ転送し、記憶部２２に記憶する。制御部２０は、分割した登録画像データのそれぞれに
ついて、上記処理を繰り返して行い、縮小後の登録画像データを記憶部２２に記憶する。
【００６６】
以上説明したように、本実施形態に係る印刷装置１０の制御部２０は、印刷部２１の印
刷領域の幅と、登録を指示された登録画像データの幅とを比較し、登録画像データの幅が
、印刷部２１の印刷領域の幅を超える場合、印刷領域の幅以下の幅となるよう、登録画像
データを縮小する。
この構成によれば、記憶した登録画像データに基づいて画像を印刷したときに、画像に
欠損が生じることを防止できる。
なお、上述した実施形態では、制御部２０は、登録画像データを縮小する場合、印刷領
域の幅と、登録画像データの幅とが一致するように、登録画像データを縮小した。一方で
、制御部２０は、登録画像データを縮小する場合、登録画像データの幅が、印刷領域の幅
「以下」となるように、縮小すればよい。これにより、登録画像データに基づく画像の欠
損を防止できる。
【００６７】
また、本実施形態では、制御部２０は、登録画像データを縮小するときの横方向の縮小
率と縦方向の縮小率とを同等とする。
この構成によれば、縮小前の登録画像データに基づく画像と、縮小後の登録画像データ
に基づく画像との縦横比を同等とすることができ、これら画像の見た目を同様とすること
ができる。
【００６８】
また、本実施形態では、制御部２０は、登録画像データに、バーコードの画像データで
あるバーコード画像データが含まれる場合、登録画像データの縮小を行わない。
この構成によれば、読み取り精度が低くなるようなバーコードを印刷することを防止で
きる。
【００６９】
＜第２実施形態＞
次いで、第２実施形態について説明する。
上述した第１実施形態では、印刷装置１０の制御部２０は、登録画像データの登録に際
し、印刷領域の幅と登録画像データの幅との関係に基づいて、自動で縮小率を決定し、自
動で縮小を行った。一方で、登録画像データの登録に関し、本実施形態に係る印刷装置１
０は、以下の処理を実行する。
【００７０】
図８は、本実施形態に係る制御装置１１、及び、印刷装置１０の動作を示すフローチャ
ートである。
【００７１】
図８（Ａ）に示すように、制御装置１１の制御装置制御部３０は、登録画像データ、及
び、登録画像データ識別情報を含む登録指示コマンドを生成する（ステップＳＥ１）。
次いで、制御装置制御部３０は、制御装置無線通信部３３を制御して、生成した登録指
示コマンドを印刷装置１０に送信する（ステップＳＥ２）。
【００７２】
図８（Ｂ）に示すように、印刷装置１０の制御部２０の登録処理部２０１は、無線通信
部２３を制御して、登録指示コマンドを受信する（ステップＳＦ１）。登録指示コマンド
は、受信バッファー４１に格納される。
次いで、登録処理部２０１は、受信バッファー４１に格納された登録指示コマンドを読
み出し、当該コマンドに含まれる登録画像データ、及び、登録画像データ識別情報を取得
する（ステップＳＦ２）。
次いで、登録処理部２０１は、ＲＡＭ４２の記憶領域に、ステップＳＦ２で取得した登
録画像データのサイズに対応するサイズの一時バッファーＴＢを形成し、一時バッファー
ＴＢに、ステップＳＦ２で取得した登録画像データを展開する（ステップＳＦ３）。
【００７３】
次いで、登録処理部２０１は、手動調整設定が有効か否かを判別する（ステップＳＦ４
）。後に明らかとなる通り、手動調整設定が有効の場合であって、所定の条件が成立する
場合、登録処理部２０１は、登録画像データを登録する際に、後述する方法で拡大又は縮
小して登録する。手動調整設定の有効／無効は、ユーザーが所定の方法で事前に設定でき
る。記憶部２２が記憶する図示しない設定ファイルには、手動調整設定の有効／無効を示
す設定情報が記録されており、ステップＳＦ４において、登録処理部２０１は、設定ファ
イルの設定情報に基づいて、手動調整設定が有効か否かを判別する。
【００７４】
手動調整設定が有効ではない場合（ステップＳＦ４：ＮＯ）、登録処理部２０１は、通
常の処理により、登録画像データの記憶部２２への記憶、及び、登録画像データテーブル
２２１への登録を行う（ステップＳＦ５）。
【００７５】
手動調整設定が有効の場合（ステップＳＦ４：ＹＥＳ）、登録処理部２０１は、一時バ
ッファーＴＢに展開した登録画像データを分析し、登録画像データに、バーコードの画像
データであるバーコード画像データが含まれているか否かを判別する（ステップＳＦ６）
。
登録画像データにバーコード画像データが含まれる場合（ステップＳＦ６：ＹＥＳ）、
登録処理部２０１は、処理手順をステップＳＦ５へ移行し、通常の処理によって、登録画
像データを登録画像データテーブル２２１に登録する。
なお、登録画像データにバーコード画像データが含まれる場合は、登録画像データの登
録を行わず、所定の手段によりユーザーにその旨報知する構成であってもよい。
【００７６】
一方、登録画像データにバーコード画像データが含まれない場合（ステップＳＦ６：Ｎ
Ｏ）、登録処理部２０１は、記憶部２２が記憶する設定ファイルに記録された横調整率、
及び、縦調整率を取得する（ステップＳＦ７）。
横調整率とは、登録画像データを拡大又は縮小するときの横方向の拡大率又は縮小率で
ある。
縦調整率とは、登録画像データを拡大又は縮小するときの縦方向の拡大率又は縮小率で
ある。
本実施形態では、ユーザーが、横調整率、及び、縦調整率を事前に設定し、設定した横
調整率、及び、縦調整率で、登録画像データを拡大又は縮小して、拡大又は縮小後の登録
画像データを登録させることができる。ユーザーは、所定の方法で、横調整率、及び、縦
調整率を設定する。記憶部２２が記憶する図示しない設定ファイルには、ユーザーが設定
した横調整率、及び、縦調整率を示す情報が記録されており、ステップＳＦ７において、
登録処理部２０１は、設定ファイルの情報に基づいて、横調整率、及び、縦調整率を取得
する。
【００７７】
次いで、登録処理部２０１は、登録画像データを横調整率、及び、縦調整率に基づいて
拡大又は縮小した場合の、拡大又は縮小後の登録画像データの縦のドット数、及び、横の
ドット数を算出する（ステップＳＦ８）。
なお、調整率で調整したドット数が、整数とならない場合、所定の方法により調整され
て、整数とされる。
【００７８】
次いで、登録処理部２０１は、ステップＳＦ８で算出した拡大又は縮小後の登録画像デ
ータの縦のドット数、及び、横のドット数に対応したサイズの保存バッファーＳＢを、Ｒ
ＡＭ４２の記憶領域に形成する（ステップＳＦ９）。
次いで、登録処理部２０１は、登録画像データを拡大又は縮小してするときの、アルゴ
リズムを特定する（ステップＳＦ１０）。
【００７９】
次いで、登録処理部２０１は、ステップＳＦ１０で特定したアルゴリズムに従って、登
録画像データを拡大又は縮小する（ステップＳＦ１１）。
【００８０】
次いで、登録処理部２０１は、拡大又は縮小した登録画像データを、ステップＳＦ９で
形成した保存バッファーＳＢに展開する（ステップＳＦ１２）。
次いで、登録処理部２０１は、ＤＭＡコントローラー４０を制御して、保存バッファー
ＳＢに展開された拡大又は縮小後の登録画像データを、記憶部２２にＤＭＡ転送して、記
憶部２２に記憶する（ステップＳＦ１３）。
次いで、登録処理部２０１は、登録画像データテーブル２２１に、ステップＳＦ２で取
得した登録画像データ識別情報と、ステップＳＦ１３で記憶部２２記憶した調整画像デー
タとを対応付けたレコードを生成する（ステップＳＦ１４）。
【００８１】
このように、本実施形態では、登録画像データの登録に際し、印刷装置１０は、ユーザ
ーが設定した横調整率、及び、縦調整率に従って、登録画像データを拡大又は縮小し、拡
大又は縮小後の登録画像データを登録する。
このため、ユーザーは、登録画像データに基づく画像の幅が、印刷領域の幅に対応する
ように、横調整率、及び、縦調整率を設定することにより、登録画像データに基づく画像
の幅を、印刷領域の幅に対応させることができる。例えば、ユーザーは、登録画像データ
の幅が、印刷領域の幅に比して大きい場合は、縮小した登録画像データを登録させること
ができ、また、登録画像データの幅が、印刷領域の幅に比して小さすぎる場合は、適度に
拡大した登録画像データを登録させることができる。
【００８２】
なお、上述した実施の形態は、あくまでも本発明の一態様を示すものであり、本発明の
範囲内で任意に変形および応用が可能である。
例えば、上述した実施形態では、印刷システム１は、車内販売等に用いられるシステム
であったが、印刷システム１の使用態様は例示したものに限らない。
また、印刷装置１０は、モバイルプリンターであったが、印刷装置１０は、モバイルプ
リンターに限らず、据え置き型のプリンターであってもよい。また、印刷装置１０は、サ
ーマルプリンターであったが、印刷装置１０のプリント形式はサーマル式に限らず、イン
クジェット式等の他の形式であってもよい。
また、図を用いて説明した各機能ブロックはハードウェアとソフトウェアにより任意に
実現可能であり、特定のハードウェア構成を示唆するものではない。
【符号の説明】
【００８３】
１０…印刷装置、２０…制御部、２１…印刷部、２２…記憶部。
【図１】
0006428216.tif 000002
【図２】
0006428216.tif 000003
【図３】
0006428216.tif 000004
【図４】
0006428216.tif 000005
【図５】
0006428216.tif 000006
【図６】
0006428216.tif 000007
【図７】
0006428216.tif 000008
【図８】
0006428216.tif 000009